(57)【特許請求の範囲】
【請求項１】
第一基板と第二基板との間に挟持された電気光学材料と、複数の画素を有する表示領域と、前記表示領域の外側に設けられた余白領域と、を含む電気光学装置であって、
前記余白領域は、電気信号に応じて光学特性が変化する第一余白領域と、前記第１余白領域の外側に設けられ、光学特性が定まった第二余白領域とを含み、
前記複数の画素のうち一の前記画素において、前記電気光学材料の光学特性を制御するための画素電極が前記第一基板に設けられ、
前記第一余白領域において、前記電気光学材料の光学特性を制御するための余白電極が前記第一基板に設けられ、
前記電気光学材料は、前記複数の画素電極と、前記余白電極の少なくとも一部と、に平面視で重なり、
前記第一余白領域と前記第二余白領域との境界線は、平面視で、前記余白電極と前記電気光学材料とに重なっており、鋸刃状に形成されていることを特徴とする電気光学装置。
【請求項２】
前記第二余白領域において、前記第二基板に形成され、色調が固定された色部材が配置されていることを特徴とする請求項１に記載の電気光学装置。
【請求項３】
前記色部材は、前記第２基板の前記電気光学材料が配置された側の面に配置されていることを特徴とする請求項２に記載の電気光学装置。
【請求項４】
前記色部材は、前記第２基板の前記電気光学材料が配置された側とは反対側の面に配置されていることを特徴とする請求項２に記載の電気光学装置。
【請求項５】
前記色部材は、前記電気光学材料と同じ材料を含むことを特徴とする、請求項２から４のいずれか一項に記載の電気光学装置。
【請求項６】
請求項１乃至５のいずれか一項に記載の電気光学装置を備えることを特徴とする電子機器。
【発明の詳細な説明】
【技術分野】
【０００１】
本発明は、電気泳動装置や液晶装置などの電気光学装置、及び、これを備える電子機器に関する。
【背景技術】
【０００２】
図１１に描く従来の電気光学装置１００は、例えば特許文献１に記載されている様に、電気泳動材料がバックプレーン（アクティブマトリックス基板）のほぼ全面を覆っていた。電気泳動材料に覆われたバックプレーンは画素電極が行列状に配置されている表示領域２と、表示領域２の外周に位置する周辺領域８とからなっていた。表示領域２内に於いては電気光学装置１００を見易くすべく、余白９が表示されていた。
又、特許文献２の電気光学装置では表示領域の外周で周辺領域にダミー電極が設けられ、表示領域とダミー電極を完全に覆う様に、ダミー電極の外側にまで電気泳動材料が形成されていた。
【先行技術文献】
【特許文献】
【０００３】
【特許文献１】特開２００６−３２３０２６号公報
【特許文献２】特開２００６−２２７０５３号公報
【発明の概要】
【発明が解決しようとする課題】
【０００４】
しかしながら、特許文献１に代表される従来の電気光学装置１００では、周辺領域８は表示に役立たず、しかもその領域の電気泳動材料への漏れ電界により、周辺領域８が額縁状に未制御の中間階調をなして、電気光学装置全体の表示品位を低下させてしまうという課題があった。加えて表示領域２はアクティブマトリックス領域であるにも係わらず、表示領域内に設けられた余白９は単純な白表示しかなさず、実質的にアクティブマトリックスとして機能していなかった。即ち従来の電気光学装置では余白９が有効活用されていないため、アクティブマトリックスで高精細な画像を表示しうる表示領域にて、実質的な使用領域２２が狭められているという課題があった。
【０００５】
特許文献２に代表される従来の電気光学装置でも、ダミー電極の外周に額縁状の未制御中間階調領域が形成され、電気光学装置全体の表示品位を低下させているという課題があった。又、特許文献１と同様、表示領域内に余白が作られ、それが故、表示領域の実質的な使用領域を狭めているという課題があった。
【課題を解決するための手段】
【０００６】
本適用例は、上記課題の少なくとも一部を解決するためになされたものであり、以下の適用例又は形態として実現することが可能である。
【０００７】
（適用例）
第一基板と第二基板との間に挟持された電気光学材料と、複数の画素を有する表示領域と、この表示領域の外側に設けられた余白領域と、を含む電気光学装置であって、余白領域は、電気信号に応じて光学特性が変化する第一余白領域と光学特性が定まった第二余白領域とを含む事を特徴とする電気光学装置。
この電気光学装置によれば、表示領域の周囲に専用の余白領域を設けた事により、表示領域内に設ける余白を最小にする事、又は表示領域内に余白を設けない事が可能となる。即ちこの電気光学装置によれば表示領域内の最外周近傍にまで情報を表示することができる事により、アクティブマトリックスなどからなる表示領域を充分に有効活用する事が可能となる。
【０００８】
また、表示領域の外側に第一余白領域が設けられ、この第一余白領域の更に外側に第二余白領域が設けられている事が好ましい。
第二余白領域はその光学特性を一定に保つが、第一余白領域は供給される電気信号に応じてその光学特性が変化する。この構成によって、表示領域の背景色（例えば白色）と第一余白領域の光学特性（表示色）とを揃えて制御することにより、表示領域の周囲に表示領域の背景色と同一色の額縁状の余白領域が形成されることになる。こうして第一余白領域が余白を表示している表示領域として機能することになり、実質的な表示領域が広げられる。したがって、電気光学装置の表示領域が実質的に拡張される。
【０００９】
また、複数の画素のうち一の画素において、電気光学材料の光学特性を制御するための画素電極が第一基板に設けられ、第一余白領域において、電気光学材料の光学特性を制御するための余白電極が第一基板に設けられていることが好ましい。
こうすると画素電極を第一基板に形成する際に、同時に余白電極も第一基板に形成できるので、余白電極を新たに作るとの製造工程を増やす事なく、第一余白領域を電気光学装置に設ける事が可能となる。
【００１０】
また、電気光学材料は、複数の画素電極と、余白電極の少なくとも一部と、に平面視で重なる事が好ましい。
この電気光学装置では、表示領域に複数の画素電極が設けられ、第一余白領域には余白電極が形成され、複数の画素電極と余白電極の少なくとも一部とに平面視で重なるように電気光学材料が配置される。余白電極のうち、平面視に於いて表示領域と隣り合う内側領域に電気光学材料が配置される。こうした構成により、表示領域全域と平面視で表示領域に隣り合う余白電極の少なくとも一部とは、電気的に光学特性を変えられる様になり、表示領域の周辺に余白領域を備えた電気光学装置が実現する。
【００１１】
また、第一余白領域と第二余白領域との境界線が、平面視で電気光学材料と余白電極とに重なっている事が好ましい。
こうすると第一余白領域と第二余白領域との境界線領域に位置する電気光学材料の光学特性が必ず余白電極で制御される事になるので、第一余白領域と第二余白領域との間に光学特性が制御されない電気光学材料（未制御領域）が配置されることがなくなる。未制御領域は中間階調の表示をなすが、この様な未制御中間階調表示がこの構成によりなくなり、全体として高品位な表示をなす電気光学装置が実現する。
【００１２】
また、第一余白領域と第二余白領域との境界線が、鋸刃状に形成されている事が好ましい。
こうすると第一余白領域と第二余白領域との境界線が視認されにくくなる。即ち余白領域内に継ぎ目が認められなくなり、全体として高品位な表示をなす電気光学装置が実現する。
【００１３】
また、第二余白領域が第二基板に形成されている事が好ましい。
第一基板がアクティブマトリックス基板とされる場合、第一基板の製造には高いクリーン度が求められ、厳格な不純物制御が施される必要がある。これに対してここでは第二余白領域を第二基板に設けるので、第一基板の作成時に第二余白領域を形成する部材の混入を防ぐ事が可能となる。
【００１４】
上述の何れかに記載の電気光学装置を備えた事を特徴とする電子機器。
本適用例によると、見易く、且つ表示領域を有効活用でき、更に表示が美しい電気光学装置が提供される。
【図面の簡単な説明】
【００１５】
【図１】（ａ）：実施形態１に係わる電気光学装置の概要を示す平面図、（ｂ）：（ａ）のＡ−Ａ’に於ける断面図。
【図２】（ａ）：電気光学装置に於けるバックプレーンの概要を示す平面図、（ｂ）：（ａ）のＡ−Ａ’に於ける断面図。
【図３】（ａ）：電気光学装置に於けるフロントプレーンの概要を示す平面図、（ｂ）：（ａ）のＡ−Ａ’に於ける断面図。
【図４】図１（ｂ）のＱ部を拡大した図。
【図５】実施形態２に係わる電気光学装置に於ける余白領域の一態様を示し、図３（ａ）のＧ部を拡大した図。
【図６】（ａ）：電子機器の概要を示す平面図、（ｂ）：（ａ）のＡ−Ａ’に於ける断面図。
【図７】変形例１に係わる電気光学装置の概要を示す断面図。
【図８】変形例２に係わる電気光学装置の概要を示す断面図。
【図９】変形例３に係わる電気光学装置に於けるバックプレーンの概要を示す平面図。
【図１０】変形例４に係わる電気光学装置の概要を示す断面図。
【図１１】従来の電気光学装置を示す平面図。
【発明を実施するための形態】
【００１６】
以下、本発明の実施形態を図面を用いて説明する。なお、以下の図面に於いては、各層や各部材を図面上で認識可能な程度の大きさとするため、各層や各部材毎に縮尺を異ならしめてある。
【００１７】
（実施形態１）
「電気光学装置の概要」
図１は、本実施形態の電気光学装置を模式的に示しており、（ａ）は平面図で、（ｂ）は（ａ）のＡ−Ａ’に於ける断面図である。
電気光学装置１は複数の画素を有する表示領域２と、この表示領域２の外周に設けられた余白領域３とを含んでいる。表示領域２には画素が行列状に配置され、いわゆるディスプレイのアクティブマトリックス部をなす。余白領域３はこの表示領域２を所定の幅で額縁状に囲んでいる。余白領域３は第一余白領域３１と第二余白領域３２とを含む。表示領域２の外側には第一余白領域３１が形成され、更にその外側に第二余白領域３２が設けられている。
【００１８】
第一余白領域３１には電気光学材料４とその光学特性を制御するための電極とが設けられている。本明細書では、第一余白領域３１において電気光学材料４の光学特性を制御するための電極を余白電極３１１と呼ぶ。第一余白領域３１においては、表示領域２において行われるような文字などの表示を行う必要がないため、余白電極３１１の形状は特に限定されず、また、表示領域２に設けられている画素を制御するための駆動回路を用いて余白電極３１１に電気信号を供給する必要もない。たとえば図１（ａ）に示したような額縁状の余白電極３１１を用いれば、画素を制御するための駆動回路よりもはるかに簡単な構成の回路によって第一余白領域３１の光学特性を制御することができる。すなわち、表示領域２と第一余白領域３１とは互いに独立に制御され、第一余白領域３１を設けても、表示領域２の実質的な使用領域を狭めることはない。
【００１９】
第二余白領域３２には、光学特性が定まった材料（固定色部材３２１）が配置されている。ただし、「光学特性が定まった」、という言葉の意味は、使用者が意図的に光学特性を変えられない事を意味し、経時劣化に伴う光学特性の変化（いわゆる、経時色褪せ）を除外するものではない。第一余白領域３１と第二余白領域３２との境界線は、固定色部材の内周境界３３と呼ばれる。
【００２０】
尚、本実施形態では好適例として、電気光学材料４に電気泳動材料を適応した場合に付いて説明する。従って電気光学装置１は電気泳動ディスプレイであり、後に図６にて詳述する電子機器１０の好適例は電子書籍である。
又、以下の説明では第一基板６１と第二基板５１とが現れるが、第一基板６１が有する複数の面のうち電気光学材料４が設けられる側の面を表側の面と定義し、表側の面の反対側の面を裏側の面と定義する。第二基板５１の表側の面と裏側の面も同様に定義される。
【００２１】
電気光学装置１で表示領域２以外の総ての領域を周辺領域と定義する。周辺領域は余白領域３と図１には不図示の非余白領域とを含む。非余白領域は余白にならない領域で、外部への電気的な接続部品（フレキシブルプリントサーキット基板など）や、電気光学装置を保護する保護材設置部や、筐体への組み込み部などとなる。こうした非余白領域を除いて周辺領域の大半は余白領域３とされ、それ故に余白領域３は周辺領域にほぼ一致する。
【００２２】
電気光学装置１は、バックプレーン６とフロントプレーン５などから構成されている。バックプレーン６は第一基板６１を含む。第一基板６１の表面には薄膜素子が形成されている。この為に、バックプレーン６はしばしばアクティブマトリックス基板とも称せられる。フロントプレーン５は第二基板５１を含む。第二基板５１の表面には電気光学材料４が配置される。即ち、電気光学装置１は第一基板６１と第二基板５１とを有し、両基板間に電気光学材料４を挟持している。これが電気光学装置１の基本構成であるが、以下では好適例として、バックプレーン６とフロントプレーン５とを貼り合わせると、電気光学装置１になる例を以て実施形態を説明する。
【００２３】
以下、電気光学装置１に関する技術的な詳細を構成要件毎に説明する。
【００２４】
「バックプレーン」
図２は電気光学装置１の一部をなすバックプレーン６を模式的に示しており、（ａ）は平面図で、（ｂ）は（ａ）のＡ−Ａ’に於ける断面図である。図２を参照してバックプレーン６を詳述する。
【００２５】
バックプレーン６は、第一基板６１と不図示の薄膜素子層等から構成される。薄膜素子層には、薄膜トランジスター（ＴＦＴ：Ｔｈｉｎ  Ｆｉｌｍ  Ｔｒａｎｓｉｓｔｏｒ）や薄膜キャパシター、薄膜ダイオード、薄膜抵抗などが形成されている。第一基板６１は柔軟性を有するプラスティック（典型的にはポリエステルフィルム）の平滑な基板である。第一基板６１の表面には、表示領域２に設けられる素子群や、配線、駆動回路（走査回路３５や信号回路３６）などが薄膜素子にて形成されている。これらの薄膜素子は、例えば特開２００４−３２７８３６号公報に記載されている転写技術を用いてプラスティックフィルム上に形成される。表示領域２は典型的には長方形などの四角形となるが、その他の多角形や円形、楕円形、ハート型などであっても良い。
【００２６】
第一基板６１にて表示領域２となる領域には、複数の画素が行列状に配置され、各画素に画素電極２１が形成されている。画素電極２１は各画素に設けられた画素ＴＦＴ２３に接続される。具体的一例としては、画素ＴＦＴ２３のゲート電極は行線に相当する走査線に接続され、ドレイン電極は列線に相当する信号線に接続され、ソース電極は画素電極２１に接続されている。複数の走査線は走査回路３５により駆動され、複数の信号線は信号回路３６によって駆動される。走査回路３５や信号回路３６は薄膜トランジスターで構成されている。
【００２７】
表示領域２の外周にはこうした走査回路３５や信号回路３６が設けられ、その他にも実装端子３７や配線が設けられる。実装端子３７は外部の制御回路に接続される。外部の制御回路は実装端子３７を介して、駆動回路等に電源や信号を供給して、電気光学装置１を制御する。配線には、駆動回路間を結ぶ配線や、駆動回路と表示領域２とを結ぶ配線、及び実装端子３７と駆動回路等を結ぶ配線が含まれている。余白電極３１１は表示領域２に隣接する外周部位に形成され、駆動回路や配線の少なくとも一部を覆っている。余白電極３１１は画素電極２１と同じ材料（例えば透明導電膜）で同じ層上（例えばＴＦＴの最上層）に形成されている。余白電極３１１は、外部の制御回路に電気的に接続されている。外部の制御回路は余白電極３１１の電位ないしは余白電極３１１を流れる電流値を変調することによって、余白電極３１１上に設けられた電気光学材料４の光学特性を制御する。
【００２８】
図２に示す様に、走査回路３５や信号回路３６等のＴＦＴからなる駆動回路がバックプレーン６の表面に形成されている場合、余白電極３１１は、駆動回路のうち比較的低速で動作する領域と平面視で重なっていることが好ましく、比較的高速で動作する領域を覆わないことが好ましい。比較的低速で動作する領域とは、回路の動作クロック周波数が概ね１ＭＨｚ程度未満の領域であり、具体的には走査線を選択する走査回路３５や、信号回路３６の出力部分などが相当する。信号回路３６の出力部分とは、シフトレジスターやデコーダーといった選択回路からの出力以降の回路で、例えば、各信号線に入力される信号を作成する信号処理回路である。一方、比較的高速で動作する領域とは、通常１ＭＨｚ以上の高速動作が必要とされる信号回路３６のクロック回路や選択回路（シフトレジスター回路やデコーダー回路）である。
【００２９】
図２に示したように、信号回路３６は、比較的高速で動作する高速動作回路３６１と比較的低速で動作する低速動作回路３６２とからなっている。そして、余白電極３１１は低速動作回路３６２と平面視で重なっているが、高速動作回路３６１とは平面視で重なっていない。
【００３０】
このように、比較的高速動作が必要な回路（高速動作回路３６１）の上には余白電極３１１を設けず、その代わり、後に図４で説明するように第二余白領域３２を設ける。従って平面視に於いて、表示領域２の外側に低速動作回路３６２が設けられ、更にその外側に高速動作回路３６１が設けられる。
【００３１】
尚、第一基板６１はガラスなどの固い基板であっても構わない。
【００３２】
「フロントプレーン」
図３は電気光学装置１の一部をなすフロントプレーン５を模式的に示しており、（ａ）は平面図で、（ｂ）は（ａ）のＡ−Ａ’に於ける断面図である。図３を用いて、フロントプレーン５を詳述する。
【００３３】
フロントプレーン５は、第二基板５１と電気光学材料４と固定色部材３２１などから構成されている。第二基板５１の表面には不図示の共通電極が設けられ、共通電極の上に電気光学材料４が配置される。第二基板５１も柔軟性を有するプラスティックの平滑な基板である（典型的にはポリエステルフィルム）。固定色部材３２１は、第二基板５１の裏面の最外周に平面視で額縁状に配置される。本実施形態では、電気光学装置１を第二基板側から観察するものとし、第二基板５１に固定色部材３２１を配置する。この場合には、不図示の共通電極としては透明な電極が用いられる。
【００３４】
固定色部材３２１は、色調が固定されており、白色など各種色彩を有した色の塗料から成る。その塗料は固定色部材３２１をなす色の顔料や染料と接着剤とを含み、接着剤が硬化する事で色が第二基板５１に固定される。固定色部材３２１の色に関しては後に詳述する。
【００３５】
固定色部材３２１は第二基板５１の裏側の面で、端部（エッジ部）に沿って額縁状に形成される。この部位が、フロントプレーン５とバックプレーン６とが貼り合わされた際に、第二余白領域３２となる。第二余白領域３２よりも内側の領域が電気光学活性領域４１であり、電気光学活性領域４１は、電気光学装置が完成した際に、光学特性が電気的に変わることが使用者によって視認される領域である。固定色部材３２１と重なる電気光学材料４は、電気的に光学特性が変えられても、或いは光学特性が制御されていなくても、固定色部材３２１にて覆われているので、光学特性の変化は視認されない。電気光学活性領域４１は、フロントプレーン５とバックプレーン６とを貼り合わせた際に、図１（ａ）に示す様に第一基板６１上の画素電極２１の総てと、表示領域２に隣接する余白電極３１１のうち少なくとも内側の部分を覆う広さとされている。言い換えると、内周境界３３が、電気光学装置１を組み立てた際に、平面視で電気光学材料４と余白電極３１１とに重なる様に、固定色部材３２１の幅を定める。
【００３６】
電気光学材料４は、表示領域２の内部から内周境界３３よりも第二基板５１のエッジ部側にまで延在し、電気光学材料４の端部は、内周境界３３よりも第二基板５１のエッジ部側に設けられる。図３では第二基板５１のエッジ部まで電気光学材料４を配置している。こうした構成により、図１に示す様に、電気光学装置１を組み立てた際に、表示領域２と余白電極３１１が設けられた領域とにおいて、電気光学材料４の光学特性を変えられる様になり、表示領域２の周辺に第一余白領域３１を備えた電気光学装置１が実現する。余白電極３１１が設けられた領域のうち、電気光学材料４の光学特性の変化が使用者によって視認される領域が第一余白領域３１として機能する。ただし、電気光学材料４の材料費を削減する為に、固定色部材３２１に平面視にて重なる領域（固定色部材３２１下の第二基板５１エッジ近傍部）には電気光学材料４を配置しなくとも良い。
【００３７】
電気光学材料４は、顔料や染料が溶媒に分散された液体を含み、共通電極が設けられた第二基板５１（フィルム）の表側に、ダイコート法やグラビアコート法、インクジェットコート法などの各種塗布方法を用いて、塗布されている。
【００３８】
固定色部材３２１は、電気光学材料４を第二基板５１の表側の面に配置する前か或いは配置した後で、スクリーン印刷法などの各種印刷法を用い第二基板５１の裏側に配置してもよい。或いは電気光学材料４を第一基板６１と第二基板５１とで挟持した後に第二基板５１の裏側に固定色部材３２１を同様な方法で印刷してもよい。
尚、第二基板５１はガラスなどの固い基板であっても構わない。
【００３９】
「フロントプレーンとバックプレーンの大小関係と余白領域の寸法」
次に再び図１を参照して、フロントプレーン５とバックプレーン６との大小関係、及び余白領域３の大きさを説明する。フロントプレーン５とバックプレーン６とはほぼ等しいサイズであるか、或いは、使用者側に位置する方の基板を僅かに大きくする。固定色部材３２１は大きい方の基板に配置される。本実施形態では、使用者は第二基板５１側から電気光学装置１を見るので、フロントプレーン５の方がバックプレーン６よりも僅かに大きく、固定色部材３２１は第二基板５１に設けられる。こうすると電気光学装置１の使用者側の面の大半は表示領域２と余白領域３とから構成される事になり、表示品位の高い電気光学装置１が実現する。
【００４０】
第一基板６１がプラスティックなどの柔軟性を有する基板で、その基板上にシリコンを利用したＴＦＴにて薄膜素子層を形成している場合には、第一基板６１よりも第二基板５１を大きくするのが好ましい。柔軟性を有する基板に酸化硅素膜やシリコン膜などの無機物で半導体回路を形成すると、無機物が割れる事がある。取り分け、フロントプレーン５を貼り合わせる際に第二基板５１のエッジ部には応力が集中しやすい。その為に第二基板５１が第一基板６１よりも小さいと第二基板５１のエッジ部にて第一基板６１の無機物が割れる恐れがある。第二基板５１を第一基板６１よりも大きくすると、この恐れはなくなり、生産性（歩留まり）が向上するからである。従って、柔軟性を有する第一基板にシリコンＴＦＴを作成した場合には、第二基板５１を第一基板６１よりも大きくし、第二基板に固定色部材３２１を設置するのが好ましい。
【００４１】
余白電極の幅に関しては、走査回路３５や信号回路３６などの駆動回路や外周配線群の幅は大凡０．５ｍｍから１０ｍｍなので、余白電極３１１の幅も大凡０．５ｍｍから１０ｍｍとなる。第一余白領域３１の光学特性は余白電極３１１に供給される外部信号により変えられるので、電力が消費される。そのため、省エネルギーの見地からは第一余白領域３１の幅は狭い方が好ましい。前述の如く固定色部材３２１を設けることで第二余白領域３２を作れるので、第一余白領域３１の幅は第二余白領域３２とのアライメントに必要な最小幅とするのが好ましい。一方で第一余白領域３１の色（例えば白）は表示領域２の色（例えば白）と同一で色差が殆ど見られないので、余白としては理想的である。第一余白領域３１を理想的な余白として機能させるためには、或る程度の大きさが必要とされる。これらを鑑みると余白電極３１１の幅は大凡１ｍｍから５ｍｍが理想と言える。余白領域３は電気光学装置１の対称辺（上辺に対して下辺、或いは左辺に対して右辺）の幅をほぼ等しくしても良い。第一余白領域３１単体で対称辺の幅が等しく、第二余白領域３２単体でも対称辺の幅が等しいのが理想だが、両者を合わせた余白領域３全体として対称辺の幅をほぼ等しくしてもよい。
【００４２】
固定色部材３２１は、それが余りに大きいとバックプレーン６やフロントプレーン５で表示領域２が占める割合が小さくなって割高なので、その幅は大凡０．５ｍｍから５ｍｍ、理想的には１ｍｍから２．５ｍｍとする。
【００４３】
「固定色部材の色」
次に固定色部材３２１の色に関して説明する。
固定色部材３２１は、表示領域２の標準背景色と同色の材料を塗布したり載せたり、或いは挟む事で作成される。標準背景色とは表示領域２に最も長時間表示している画像の背景色を示し、電子書籍では白色ないしは白み掛かった灰色が典型例である。標準背景色を白黒（いわゆるカラーでなく、白又は灰色ないしは黒）とした場合、固定色部材３２１も白黒とし、その明度は、標準背景色をなす電気光学材料４の明度と同じ程度とする。即ち、固定色部材３２１の明度指数をＬF、標準背景色となっている電気光学材料４の明度指数をＬ0とした際に、明度指数差（ΔＬ＝｜ＬF− Ｌ0 ｜）を５以内とする。取り分け、明度指数差を２以内にすると注意深く見つめてもその差を認識できずに理想的である。具体的には、下記数式（１）を満たすようにＬFを決定する。
Ｌ0 −５ ≦ＬF≦Ｌ0 ＋５  ・・・（１）
電気光学装置１が、本実施形態の様に反射型光学装置で、表示領域２の標準背景色を白とする場合、電気光学材料４の白は明度指数が６５から９５程度となる為、固定色部材３２１の明度指数Ｌは６０以上の灰色から１００の白とする。
【００４４】
尚、ここでいう明度指数とは、ＣＩＥ（国際照明委員会）が１９７６年に定めたＬ、ａ、ｂ表色系の一つで（Ｌスター、ａスター、ｂスターとも称せられる）、明度を表す指数である。明度指数１００が白を表し、０が黒を表す。日本ではＪＩＳ Ｚ ８７２９にて規定され、反射率ｙとはＬ ＝ １１６ ｘ ｙ1/3 - １６ との関係にある。
【００４５】
又、反射型光学装置には、ここで示した電気泳動ディスプレイの他に、ポリマー分散型液晶表示装置やコレステリック液晶表示装置、エレクトロ・クロミック表示装置などがあり、これらに関しても固定色部材３２１の明度指数は上記と同じである。
【００４６】
「電気光学装置の詳細な断面構造」
図４は電気光学装置１の断面図で、図１のＱ部を拡大した図である。
【００４７】
電気光学装置１は、表示領域２の外周に額縁状に第一余白領域３１が設けられ、更にその外側に第二余白領域３２が設けられ、両者を合わせて余白領域３となっている。第二余白領域３２を構成する固定色部材３２１は第二基板５１の裏側外周部に設けられ、第一余白領域３１を制御する余白電極３１１はバックプレーン６の表面で、表示領域２の外側に設けられている。電気光学材料４はフロントプレーン５のエッジ部迄全面に配置されている。内周境界３３は電気光学材料４と余白電極３１１とに重なっている。
【００４８】
電気光学装置１は使用者によってフロントプレーン５側（図４の上側）から見られ、フロントプレーン５がバックプレーン６よりも大きいため、電気光学装置の使用者側の面は表示領域２と余白領域３とを主たる構成要素としている。電気光学材料４は、表示領域に於いては画素電極２１によって光学特性が制御され、第一余白領域３１に於いては余白電極３１１によって光学特性が制御される。
【００４９】
薄膜素子層に用いられるＴＦＴは上ゲート型で、多結晶シリコン膜を半導体層に用いた多結晶シリコンＴＦＴである。上ゲート型とは基板上にＴＦＴを作成する場合、基板側に半導体層が位置し、半導体層を覆う形でゲート絶縁膜が形成され、その上にゲート電極が形成されている構成を指す。多結晶シリコンＴＦＴはＮ型トランジスターとＰ型トランジスターとを作れ、相補性金属酸化物半導体（ＣＭＯＳ：Ｃｏｍｐｌｅｍｅｎｔａｒｙ  Ｍｅｔａｌ−Ｏｘｉｄｅ−Ｓｅｍｉｃｏｎｄｕｃｔｏｒ）回路を構成し得る。図４では表示領域２には各画素に画素ＴＦＴ２３が設けられ、周辺領域にＴＦＴによるＣＭＯＳ駆動回路が形成されている。図４は図１のＱ部を拡大した図であるために、ＣＭＯＳ駆動回路は信号回路３６となっている。画素ＴＦＴ２３の最上層にはインジウム錫酸化物（ＩＴＯ：Ｉｎｄｉｕｍ  Ｔｉｎ  Ｏｘｉｄｅ）にて画素電極２１が設けられており、表示領域２の外周に沿って余白電極３１１がやはりＩＴＯにて形成されている。画素電極２１も余白電極３１１もＴＦＴを構成する層間絶縁膜上に形成されている。
【００５０】
信号回路３６は、クロック生成回路とシフトレジスター回路、及びシフトレジスター出力段に接続する出力信号整形回路、レベルシフト回路等から成り、高速動作回路３６１（クロック生成回路とシフトレジスター回路）は信号回路３６のうち表示領域２とは反対側に配置され、低速動作回路３６２は信号回路３６のうち表示領域２側に配置されている。低速動作回路３６２の上と、不図示の走査回路の上には余白電極３１１が形成される。余白電極３１１と共通電極５１１とに挟まれた電気光学材料４は両電極間に生ずる電位差に応じて白色から灰色ないしは黒色の表示をする。第一余白領域３１は、電気光学材料４の光学特性が余白電極３１１によって制御され、且つ固定色部材３２１と平面視で重なっていない領域である。余白電極３１１の外側（第一基板６１で余白電極３１１よりもエッジ側）に位置する電気光学材料４は何の制御もされないが、この部位は固定色部材３２１が覆っているので、視認されない。
【００５１】
電気光学材料４は、白色微粒子と黒色微粒子とを含む。これらは電気的に反対の極性に帯電しており、電界に応じて反対の方向に応力を受ける。電気光学材料４は、第一基板６１の最上層に設けられた画素電極２１並びに余白電極３１１と、第二基板５１の表側５２に設けられた共通電極５１１との間に挟持されており、画素電極２１と共通電極５１１との間の電位差や、余白電極３１１と共通電極５１１との間の電位差に応じ白色微粒子や黒色微粒子がその空間的な存在位置を変えて、電気光学装置１の光学特性を変える。
【００５２】
好適例に於いて、電気泳動材料を構成する白色微粒子は酸化チタン（ＴｉＯ2）であり、黒色微粒子はカーボンブラック（Ｃ）である。固定色部材３２１は、白み掛かった灰色のインクを第二基板５１の裏側５３の外周部に塗布して作成される。このインクの顔料は電気泳動材料の白色微粒子及び黒色微粒子と同じ酸化チタンとカーボンブラックであり、それらの配合比率は、表示領域２で標準背景色（電子書籍の場合は白色）を表示させた際の明度指数Ｌ0とインクの明度指数ＬFとの差が２以内となる様に定める。
【００５３】
上述した通り、本実施形態に係わる電気光学装置１によれば、以下の効果を得ることができる。
第二余白領域３２は、光学特性を一定に保つが、第一余白領域３１は、余白電極３１１に供給される電気信号に応じてその光学特性が変化する。その為に、表示領域２の光学特性と第一余白領域３１の光学特性とを同時に同じ色調で変化させると、表示領域２と第一余白領域３１との区別が付けられなくなる。こうして実質的に第一余白領域３１までを表示領域２と見なすことができるため、表示面積が拡張された電気光学装置と同様な効果が得られる。換言すると、表示領域２の外側に専用の余白領域３を設けたことにより、表示領域２の内側に設ける余白を最小にしたり、或いは余白を設けないで済む事が可能となる。電気光学装置１を電子書籍として利用する場合には、表示された文章を読み易くするのに余白は必須となる。従来はアクティブマトリックスからなる表示領域内に余白を設けており、アクティブマトリックスの表示領域内で実際に情報を表示する領域は余白分だけ減らされていた。これに対して、電気光学装置１では表示領域２の内側に位置する最外周画素にまで情報を表示しても（テキストなどの文章を表示しても）、更にその外側に広い余白領域３が存在するので読み易くなっている。電気光学装置１では表示領域２の最外周近傍にまで情報が表示される様になり、アクティブマトリックスからなる表示領域２を充分に有効活用する事ができる。即ち、同面積の表示領域と周辺領域とを有する従来の電気光学装置よりも、本実施形態にて説明した電気光学装置１は、実質的な情報表示領域が広げられている。
【００５４】
第一基板６１がアクティブマトリックス基板（バックプレーン６）となり、余白電極３１１は画素電極２１と同時に作成される。その為に製造工程を増やす事なく、第一余白領域３１を電気光学装置１に設ける事ができる。
【００５５】
高速動作回路３６１上には余白電極３１１の代わりに固定色部材３２１が設けられている。もし余白電極３１１が高速動作回路３６１を覆ってしまうと、両者間に寄生容量が発生し、回路を誤動作させる恐れがある。これに対して、電気光学装置１では、こうした寄生容量の発生もなく、高速動作回路３６１は確実に高速動作できる。
【００５６】
第二基板５１の裏側に固定色部材３２１を配置している。こうすると、簡単な印刷法で固定色部材３２１を配置できるといった製造上の利点が得られる。
【００５７】
第一基板６１がアクティブマトリックス基板となるので、第一基板６１の製造には高いクリーン度が求められ、不純物制御が厳格に施される必要がある。従って固定色部材３２１を第二基板５１に配置すると、第一基板６１の作成時に固定色部材３２１を形成する部材の混入を防ぐ事が可能となり、高性能な薄膜素子を有する第一基板６１を高歩留まりで作成できる。
【００５８】
内周境界３３が必ず余白電極３１１で制御される電気光学材料４と重なって配置される。こうすると、第一余白領域３１と第二余白領域３２との間に電気光学材料４の光学特性が制御されない領域、すなわち未制御領域が生じることがなくなる。電気光学材料４の未制御領域は制御不能の中間階調で筋状や帯状の表示をなすが、余白電極３１１で制御される電気光学材料４と平面視で重なるように内周境界３３を配置すれば、使用者によって視認される領域においてこれらの制御不能な中間階調が表示されることがなくなり、余白に継ぎ目のない、表示品位が高い電気光学装置１が実現する。
【００５９】
第二余白領域３２と第一余白領域３１の明度指数差を５以内と小さく調整している。こうすると両領域の相違が認識しにくくなり、両領域が一つの幅広い余白領域と見なされる。取り分け余白領域を色づきのない白、黒または灰色とし、第二余白領域３２と第一余白領域３１との明度指数差を２以内とすると、大半の人には注意深く見つめてもその差が判らなくなるので、余白領域３内に明度の違う領域を認識されなくなり、理想的である。
【００６０】
表示領域２の外周に額縁状に余白領域３が形成されるが、余白領域３の対称辺の幅をほぼ等しくされている。こうすると、対称性が見られるので、表示品位の高い電気光学装置１となる。
【００６１】
表示領域２の最外周まで情報表示が可能となり、更に余白領域３が配線や回路を隠す為に、配線や回路が電気的に電気光学材料４に及ぼす悪影響を排除した美しい電気光学装置１を提供することができる。
【００６２】
なお、上記説明で、余白領域３が「額縁状」に囲むと表現したが、これは電気光学装置１の外周部に、電気光学装置１の縁に沿って余白領域３が形成されているとの意味である。従って、電気光学装置１が四角形ならば、余白領域３は文字通りに四角い額縁状になる。しかし電気光学装置１が四角形でなければ、外周を縁に沿って設けられた余白領域３は当然文字通りの「四角い額縁状」にならない。例えば電気光学装置１が円形で有れば、「額縁状」の余白領域３は実際にはドーナツ状の余白領域３となるが、ここでの「額縁状」とはこうした様々な形状をも含んでいる。
【００６３】
さらに、余白領域の幅に関して、「ほぼ等しい」と表現したが、これは人間が一瞬見て長さの相違を認識できない程度の差を意味し、具体的には表示領域２の長さの１０％未満程度の差である。
【００６４】
（実施形態２）
図５は、本実施形態に係わる電気光学装置で使用されるフロントプレーン５の平面視で、図３のＧ部の拡大図に相当する。
以下、本実施形態に係わる電気光学装置について説明する。なお、実施形態１と同一の構成部位については、同一の番号を附し、重複する説明は省略する。
本実施形態に係わる電気光学装置の構成は実施形態１の電気光学装置１の構成とほぼ同一である。本実施形態では内周境界３３の形状が実施形態１とは異なっている。それ以外は、実施形態１での説明と同様である。
【００６５】
図５は、内周境界３３付近を示す一例である。尚、内周境界３３とバックプレーン６に形成される余白電極３１１との位置関係を判り易くする為に、バックプレーン６における図３のＧ部に対応する領域に設けられている余白電極３１１と画素電極２１を部分的に重ね合わせて描いてある。
【００６６】
図１に示す第二余白領域３２と第一余白領域３１の明度は同じである事が望ましいが、これらを完全に一致させるのは一般に困難である。又、固定色部材３２１をなす材料と第一余白領域３１で標準背景色をなす材料とが異なれば、特定の条件では明度差がなくとも、外光の条件次第で第二余白領域３２と第一余白領域３１との境界が認識されてしまう事もある。要するに、使用条件によっては余白領域３の内部に内周境界３３が筋状の枠として認識される状況が発生しうる。言い換えると、余白領域３の内部に内周境界３３が継ぎ目として視認される恐れがある。
【００６７】
図５に戻る。
この課題を解決するために、内周境界３３を鋸刃状に形成している。鋸刃状とは、三角形形状や、長辺と短辺とを有する台形形状等の多角形が複数繰り返している状況をいう。内周境界３３がジグザグ状になるように固定色部材３２１を配置する。固定色部材３２１側と電気光学活性領域４１側の一方が三角形の底辺や台形等多角形の長辺となり、他方の側が三角形の頂点や台形等の多角形の短辺又は頂点となって、これらが繰り返されているように内周境界３３は形成される。三角形の底辺や多角形の長辺は平面視で第二基板５１の隣接するエッジ５４や隣接する表示領域２に平行に配置される。以降、三角形の頂点や台形等の多角形の短辺を、「鋸刃の短辺３３３」と略称し、三角形の底辺や多角形の長辺を「鋸刃の長辺３３２」と略称する。
【００６８】
図５の例では細長い三角形が周期的に配置され、内周境界３３はジグザグ線となり、全体としてジグザグ線は表示領域２の外周線に平行となっている。こうすると電気光学活性領域４１と固定色部材３２１とが櫛歯状に入り組み、しかも電気光学活性領域４１は外側（第二基板５１の隣接するエッジ５４側）程細く、内側程太くなる。又、固定色部材３２１は外側（第二基板５１の隣接するエッジ５４側）程太く、内側程細くなる。この為、人間の目には端部の固定色部材３２１から内側に移るほど徐々に明度や色彩が変化しているように見え、本来色相が近いものが使用されていれば、境界を認識できなくなる。即ち、内周境界３３をなす筋状の枠が消え、鋸刃の高さ３３１（三角形や多角形の頂点ないしは短辺から長辺までの距離）に相当する幅で徐々に明度が変化する帯となる。帯の幅方向（鋸刃の高さ方向）での色相や明度の変化が緩やかで有れば、僅かな明度差の存在は認識されなくなる。当然、この帯内で電気光学活性領域が設けられている場所には第一基板６１側に余白電極３１１が設けられている。
【００６９】
理想的には、三角形の頂点に幅はないが、現実に微視的には頂点近傍で所定の曲率を有する半円状となる。そこで、その円の直径を頂点幅と称することにする。頂点幅は鋸刃の短辺３３３の幅に相当する。内周境界３３の一周期をなす鋸刃の短辺３３３の幅は鋸刃の長辺３３２の幅の十分の一以下とし、更に鋸刃の長辺３３２は鋸刃の高さ３３１の十分の一以下とする。具体的には、鋸刃の短辺３３３の幅は０．０１ｍｍから０．０５ｍｍとし、鋸刃の長辺３３２は０．０５ｍｍから０．５ｍｍとし、鋸刃の高さ３３１を０．５ｍｍから５ｍｍとする。こうする事により１ｍｍ当たりに鋸刃の長辺３３２が２個以上入って入り組む為に人間の目には内周境界３３を確認不能となり、色相ないしは明度の帯状変化領域が形成されることになる。しかも、アスペクト比（鋸刃の長辺３３２に対する鋸刃の高さ３３１の比）が１０以上となるので、帯の幅方向に於ける色相や明度の変化が緩慢になって、使用者は帯そのものの存在にも気付かなくなる。製造面では鋸刃の短辺長が０．０１ｍｍから０．０５ｍｍであるなら、スクリーン印刷などの簡便な印刷法で固定色部材３２１を形成できるとの利点を享受できる。
【００７０】
尚、実施形態１にて固定色部材３２１の幅を大凡０．５ｍｍから５ｍｍ、理想的には１ｍｍから２．５ｍｍと記述したが、鋸刃状である時には、第二基板５１の端部（エッジ）から内周境界３３までの距離の平均値がここでの幅に相当する。
【００７１】
具体的なサイズの一例は以下となる。余白電極３１１の幅は図１に示す電気光学装置１の左辺と右辺で１．５ｍｍ、上辺と下辺で２．５ｍｍである。余白電極３１１の外周端から第二基板５１エッジまでの距離は左辺と右辺で１．２５ｍｍ、上辺と下辺で０．２５ｍｍである。固定色部材３２１の長い方の幅（第二基板５１エッジから鋸刃の頂点までの距離）は左辺と右辺で２．５ｍｍ、上辺と下辺で１．５ｍｍであり、短い方の幅（第二基板５１エッジから鋸刃をなす三角形の底辺までの距離）は左辺と右辺で１．５ｍｍ、上辺と下辺で０．５ｍｍであり、鋸刃の高さ（三角形の高さ）はいずれも１．０ｍｍである。又、電気光学装置１の表示領域２から鋸刃の頂点までの距離は左辺と右辺で０．２５ｍｍ、上辺と下辺で１．２５ｍｍ、で有る。鋸刃をなす三角形の底辺長はいずれも０．１ｍｍである。こうした構成により、電気光学装置１は表示領域２の外周に表示部の標準背景色と同じ色の余白領域３が２．５ｍｍの幅で上下左右の総ての辺に形成され、その中に第一余白領域３１と第二余白領域３２との境が幅１．０ｍｍで帯状に形成されている。
【００７２】
（電子機器）
図６は、実施形態１及び実施形態２で詳述した電気光学装置１を用いた電子機器１０を模式的に示しており、（ａ）は平面図で、（ｂ）は（ａ）のＡ−Ａ‘に於ける断面図である。
【００７３】
電子機器１０は、電子書籍であり、実施形態１及び２で詳述した電気光学装置１と筐体７とを含んで構成されている。筐体７には電気光学装置１を制御する制御回路やバッテリー等が積まれており、筐体７は電気光学装置１の一辺にのみ形成されている。
【００７４】
電気光学装置１は、余白領域３が表示領域２を額縁状に囲み、更に余白領域３は第一余白領域３１とその外側を額縁状に囲む第二余白領域３２とから成っている。筐体７はこの内で第二余白領域３２に設けられ、その結果、電子機器１０の使用者側の面は、筐体７以外の部分は総てが表示領域２か余白領域３となっている。通常の書籍で余白の一部が綴じられている様に、電子機器１０（電子書籍）も余白の一部で筐体７に固定されている。又、電気光学装置１を構成するフロントプレーン５もバックプレーン６も柔軟性を有しているため、電子機器１０はフレキシブルとなっている。
【００７５】
筐体７は電気光学装置１の一辺（図６の例では右辺）の一部に形成され、残りの三辺（図６の例では左辺と上辺及び下辺）は自由に開放されている。従って、これら三辺では電気光学装置１のエッジがそのまま電子機器１０のエッジになっている。回路基板の集積化や電池の小型化によりこれらを含む筐体部分は縮小され、電気光学装置１の外周の一部を覆うだけで軽くて薄く、加えて筐体７が設けられた辺以外に関してはフレキシブルな電子機器１０を提供する事ができる。この電子機器１０では、未使用時に電気光学装置１を筐体７に巻き付けておき、使用時に電気光学装置１を開いて使用する事もできる。
【００７６】
従来の同類の電子機器では、電気光学装置（いわゆるディスプレイ）の外周に必ずプラスティックや金属の筐体が設けられていた。こうした従来の電子機器では電気光学装置の周辺領域を筐体で隠す事により、電気光学材料の未制御領域を視認させないでいた。これに対し、図６に示す電子機器１０では、電気光学装置１の外周の一部にだけに筐体７が設けられている。こうした電子機器１０では、電気光学装置１の外周で筐体に覆われない部分が必ず出現する。この様に進化した電子機器１０では、電気光学材料４の未制御領域を筐体にて隠す事ができないが、この電子機器１０ではこれらの筐体に覆われない部分でも、第一余白領域３１と第二余白領域３２とで電気光学材料４の未制御領域を隠せるため、表示品位の高い電子機器を確保することができる。この点に於いて、電子機器１０は電気光学装置１の外周の一部にしか筐体が設けられていない電子機器にことのほか適し、ここに示した電子書籍の他にもテレビやパーソナルコンピューターやインターネット接続機器などの情報機器に適応することができる。
【００７７】
上述したとおり、本電子機器１０によれば、電気光学装置１の外周全域に筐体がないフレキシブルな電子機器を提供でき、且つ表示領域２が有効活用され、表示品位も高いものとされた。
【００７８】
なお、本発明は上述した実施形態に限定されず、上述した実施形態に種々の変更や改良などを加えることが可能である。変形例を以下に述べる。
【００７９】
（変形例１）
「第二余白領域を第二基板の表側に設けた例」
図７は変形例１に係わる電気光学装置の断面図である。本変形例（図７）は実施形態１（図４）と比べて、固定色部材３２１が第二基板５１の表側５２の外周部に設けられている点が異なる。それ以外の構成は、実施形態１とほぼ同様であり、重複する説明は省略する。
【００８０】
プラスティックフィルム等の第二基板５１の表側５２にインジウム錫酸化物（ＩＴＯ）等で共通電極５１１を形成した後に、通常は電気光学材料４を全面に塗布する。変形例１では、それに代わり、共通電極５１１の上の外周部に固定色部材３２１を形成し、その後に電気光学材料４を塗布する。こうして第二基板５１の表側５２に固定色部材３２１を配置する。
【００８１】
固定色部材３２１は、実施形態１と同様に、白色ないしは白み掛かった灰色のインクで、電気泳動材料の白色微粒子及び黒色微粒子と同じ材料を用いる。それらの配合比率は、標準背景色の明度指数Ｌ0とインクの明度指数ＬFとの差が２以内となる様に定める。こうすると固定色部材３２１の色が表示領域２の標準背景色と一致すると共に、実施形態１に比べて、第二基板５１による色差がなくなる。殆どのフィルムもガラスも可視光を吸収するので、同じ材料をフィルムやガラスの表面に配置した場合と裏面に配置した場合とで比較すると、フィルムやガラスによる光の反射や吸収の為に、かすかな光学的相違が発生する。これを基板による色差と称する。変形例１では互いに同じ材料からなる固定色部材３２１と電気光学材料４とを第二基板５１の表側の面５２に配置しているので、電気光学装置を第二基板５１側から見たとき、第二基板５１による色差が低減され、固定色部材３２１と第一余白領域３１との相違がより認識しにくくなるとの利点が認められる。即ち、表示領域２の標準背景と第一余白領域３１と第二余白領域３２との継ぎ目が殆ど認識されないようになり、表示品位の高い電気光学装置が実現する。
【００８２】
更に、一般に電気光学材料４を第二基板５１のエッジ部まで満遍なく塗布するのは困難であるが、変形例１によると基板エッジ部には固定色部材３２１が設けられているため、電気光学材料４を第二基板５１のエッジ部まで満遍なく塗布する必要がない。電気光学材料４が表示領域２の内側から第二基板５１のエッジ部に向かって延在し、電気光学材料４の端部が平面視で固定色部材３２１と重なっていればよい。そのため、フロントプレーン５の製造も容易となる。この様に変形例１により、電気光学装置１の一部をなすフロントプレーン５の製造を容易にすると同時に、表示領域２の最外周まで情報表示が可能で、更に美しい余白領域３を有する電気光学装置１が実現する。しかもこれを前述の電子機器１０に組み込むと、電気光学装置１の外周の一部は筐体に覆われていない柔軟で、軽くて薄い電子機器（電子書籍）が実現する。
【００８３】
（変形例２）
「電気光学材料が液晶材料の例」
図８は変形例２に係わる電気光学装置の断面図である。本変形例（図８）は実施形態１（図４）と比べて、電気光学材料４として電気泳動材料に代わり液晶材料が用いられている点が異なる。それ以外の構成は、実施形態１とほぼ同様であり、重複する説明は省略する。
【００８４】
実施形態１では電気光学材料４として電気泳動材料を使用していたが、電気光学材料４としては、その他にも液晶材料や有機又は無機のエレクトロ・ルミネッセンス材料、エレクトロ・クロミック材料等を使用しても良い。これに応じて電気光学装置１は液晶ディスプレイ（ＬＣＤ）や有機又は無機のエレクトロ・ルミネッセンス・ディスプレイ（別名をライト・エミッティング・ダイオード・ディスプレイ、ＬＥＤディスプレイともいう）、エレクトロ・クロミック・ディスプレイ（ＥＣＤ）等となる。これら電気光学装置１は電子書籍やテレビ、携帯電話やパーソナルコンピューターなどの電子機器１０に使用され、前述の如く、電気光学装置１の外周全体を囲む外枠（周辺筐体）を持たぬ電子機器１０に使用される電気光学装置１に最適となっている。以下では液晶材料を電気光学材料４として用いた例を説明する。
【００８５】
電気光学材料４は第一基板６１と第二基板５１との間に挟持されるが、液晶材料の様に粘度が低く、精密な基板間距離制御（ギャップ制御）が求められる場合、第一基板６１表側ないしは第二基板５１表側にシール剤による囲み手段４２を形成し、囲み手段４２によって囲まれた領域に液晶を充填する。変形例２ではこのシール剤囲み手段４２と余白電極３１１が設けられていない領域３１２とを覆う様に固定色部材３２１を第二基板５１に設ける。図８の例では第二基板５１の裏側５３に偏光板５１２が配置され、固定色部材３２１は偏光板５１２の上に設置されている。この他に偏光板の下に固定色部材３２１を配置しても良い。更には、図８では固定色部材３２１が第二基板５１の裏側外周部に設けられているが、変形例１で詳述した様に第二基板５１の表側外周部に設けても良い。本変形例では、固定色部材３２１は黒色とし、第一余白領域３１も標準的に黒色を表示させた。
【００８６】
固定色部材３２１はカーボンブラックなどの顔料を含んだインクを塗布して作成しても良い。或いは偏光板５１２と同じ偏光板を、黒色の表示をする様に偏光方向をずらして貼り付けて、固定色部材３２１としても良い。
【００８７】
こうした構成により、変形例２の電気光学装置は表示領域２の外周に黒色の余白領域３が２．５ｍｍの幅で上下左右の総ての辺に形成された。これにより表示領域２の最外周まで情報表示が可能となり、更に余白領域３が配線や回路を隠す為に、配線や回路が電気的に電気光学材料４に及ぼす悪影響を排除した美しい電気光学装置が作成された。更にこの電気光学装置を前述の図６に示す電子機器に組み込んだ。ここでの筐体７には携帯電話機能とインターネット接続機能、及びテレビ受信機能を備え、筐体７が電気光学装置１の一辺にしか形成されていない、柔軟性に富み、軽くて薄く、表示品位の高い電子機器（テレビ視聴可能でインターネット接続可能な携帯電話）が実現した。
【００８８】
（変形例３）
「バックプレーンに駆動回路が内蔵されていない例」
図９は変形例３に係わる電気光学装置のバックプレーン６の平面図である。本変形例（図９）は先の実施形態１のバックプレーン（図２）と比べて、ＴＦＴからなる走査回路３５や信号回路３６が第一基板６１に形成されていない点が異なる。それ以外の構成は、実施形態１とほぼ同様であり、重複する説明は省略する。
【００８９】
本変形例では、実施形態１と異なり駆動回路が内蔵されていないので、複数の走査線が一箇所に集められて走査線用実装端子３７１をなし、この走査線用実装端子３７１にシリコンチップよりなる集積回路を接続して走査回路とする。同様に信号線も一箇所に集められて信号線用実装端子３７２をなし、この信号線用実装端子３７２にシリコンチップよりなる集積回路を接続して信号回路とする。電気光学装置１は、図６に示す外周部の一部にのみ筐体を持つ電子機器に組み込む為に、走査線に連なる外周走査配線群と信号線に連なる外周信号配線群が共に第一基板６１の一辺（図９では右辺）にまとめられ、この辺に実装端子３７（走査線用実装端子３７１と信号線用実装端子３７２）が設けられている。この例では画素数が少ないので、外周配線８１（外周走査配線群と外周信号配線群）は表示領域２の上辺の周辺領域と右辺の周辺領域にしか設けられていないが、画素数が多くなれば、外周配線は表示領域２の総ての辺の周辺領域に設けられても良い。こうした外周配線８１が配置された周辺領域を余白電極３１１が額縁状に覆っている。なお、実装端子３７にはフレキシブルプリントサーキットやテープ自動化実装によってシリコンＩＣチップを接続するが、接続後には図１に示す様にフロントプレーン５を貼り合わせ、実装端子３７を第二余白領域３２で覆い隠しても良い。
【００９０】
こうする事で、電気光学装置を駆動するために、走査線や信号線には各種の信号を加えても、外周配線上の電気光学材料が意図せぬ無秩序な表示をする恐れは全くなくなり、実装部品も視認されなくなる。即ち、配線やＩＣ実装に使用される周辺領域に余白領域３が形成され、情報表示される面積が実質的に増大すると共に美しい外観を呈する電気光学装置１が実現する。
【００９１】
（変形例４）
「ＴＦＴが下ゲート型の例」
図１０は変形例４に係わる電気光学装置の断面図である。本変形例（図１０）は実施形態１（図４）と比べて、ＴＦＴが下ゲート型である点と、ＴＦＴからなる走査回路３５や信号回路３６が内蔵されてない点が異なる。典型的には上記変形例３に記載したバックプレーンを有する電気光学装置である。それ以外の構成は、実施形態１とほぼ同様であり、重複する説明は省略する。
【００９２】
変形例４では、ＴＦＴとして下ゲート型が使用され、第一基板６１側から第一配線８５によるゲート電極、その上にゲート絶縁膜、その上に半導体膜との構成を取っている。下ゲート型ＴＦＴは、半導体膜に非晶質シリコン膜を用いた非晶質シリコンＴＦＴや、亜鉛酸化物を含む酸化物半導体を半導体膜に用いた酸化物ＴＦＴなどで主として使用される。
【００９３】
下ゲート型ＴＦＴではソース電極に接続するソース配線（第二配線８６）ないしはドレイン電極に接続するドレイン配線（第三配線）にて画素電極２１と余白電極３１１が形成され、これらの電極と第二基板５１に設けられた共通電極５１１との間に電気光学材料４が配置される。外周配線８１を第一配線８５と第二配線８６とで作る場合には、図１０に示す様に、第三配線にて画素電極２１と余白電極３１１を作る。この場合、第二配線と第三配線との間には層間絶縁膜が設けられる。外周配線８１を第一配線８５のみで作る場合には第二配線８６ないしは第三配線にて画素電極２１と余白電極３１１を作る。外周配線８１を第一配線８５のみで作る場合には第二配線８６にて第三配線を兼用させる事も可能となる。外周配線８１を第一配線８５のみで作る場合、第一配線８５と余白電極３１１との間で電気的絶縁性を取るのはゲート絶縁膜となる。もし余白電極３１１と固定色部材３２１を設けなければ、ゲート絶縁膜は薄いので第一配線８５に供給した電気信号によって外周配線８１上の電気泳動材料は制御不能な中間階調色を表示して、表示品位が低くなる。しかしながら変形例４では、外周配線８１上を余白電極３１１ないしは固定色部材３２１が覆うのでこうした不具合は生じず、表示品位が高い電気光学装置が実現する。
【００９４】
なお、図１０の例では固定色部材３２１が第二基板５１の裏側５３外周領域に形成されているが、固定色部材３２１は第二基板５１の表側５２外周領域に形成されても良い。固定色部材３２１をなす顔料や染料の材質や色に関しては実施形態１や他の変形例と同じである。
【００９５】
（変形例５）
「余白領域がカラーの例」
変形例５は実施形態１と比べて、余白領域３の色がカラーである点が異なる。それ以外の構成は、実施形態１とほぼ同様であり、重複する説明は省略する。
これ迄の説明では、便宜上「余白領域３」との言葉を使用し、実際に実施形態１では余白領域３は白色であった。しかしながら、余白領域３は必ずしも白色である必然性はなく、場合によっては黒色や灰色、赤色や緑色や青色、又はこれらの色を組み合わせた彩色で有っても良い。実施形態１では電気光学装置１が白黒の電気泳動ディスプレイであり、電子機器では電子書籍であった。その為に、表示領域２の標準背景色が典型的には白色となり、これ迄は余白領域３と表現してきた。一方、変形例２で説明したように、電気光学装置がカラー動画を主として表示し、例えばインターネットのＷｅｂやテレビ画像が標準的に表示される場合には、最も長時間表示している画像が特定できないので、いかなる色を余白領域３の色にしても構わない。例えばデザイン上の理由から余白領域３の色を白黒に限らず緑色や青色などのカラーとしても良い。
【００９６】
（変形例６）
「電気光学装置を第一基板側から見る例」
変形例６は実施形態１と比べて、電気光学装置１を第一基板６１側から見る点が異なる。それ以外の構成は、実施形態１とほぼ同様であり、重複する説明は省略する。
実施形態１では、電気光学装置１を第二基板５１側から見る場合を想定し、第二基板５１に第二余白領域３２を形成した。これとは反対に、本変形例が示す様に、電気光学装置１を第一基板６１側から見ても良い。この場合には、第一基板６１に固定色部材３２１を配置する。要するに電気光学材料４と使用者の目との間に位置する様に固定色部材３２１を第一基板６１ないしは第二基板５１に形成する。第一基板６１側から見る時には透明でない金属膜を共通電極として用いることも可能である。
【００９７】
（変形例７）
「共通電極が第一基板側に作成される例」
変形例７は実施形態１と比べて、共通電極が第一基板側に作られる点が異なる。それ以外の構成は、実施形態１とほぼ同様であり、重複する説明は省略する。
実施形態１では、共通電極５１１は第二基板５１に形成されているが、これは必須ではなく、共通電極５１１は第一基板６１に形成されても良い。この場合、共通電極５１１は第一基板６１の各画素内に設けられ、第一基板６１の面と平行な電界成分を持つ電界が電気光学材料４に印加される所謂インプレーンスイッチ型の電気光学装置となる。
【００９８】
なお、これ迄の説明では、表示領域をアクティブマトリックスとして説明したが、表示領域はパッシブマトリックスで有っても構わない。
【符号の説明】
【００９９】
１…電気光学装置、２…表示領域、３…余白領域、４…電気光学材料、１０…電子機器、２１…画素電極、３１…第一余白領域、３２…第二余白領域、３３…内周境界、５１…第二基板、６１…第一基板、３１１…余白電極、３２１…固定色部材。
【図１】
0005527033.tif 000002
【図２】
0005527033.tif 000003
【図３】
0005527033.tif 000004
【図４】
0005527033.tif 000005
【図５】
0005527033.tif 000006
【図６】
0005527033.tif 000007
【図７】
0005527033.tif 000008
【図８】
0005527033.tif 000009
【図９】
0005527033.tif 000010
【図１０】
0005527033.tif 000011
【図１１】
0005527033.tif 000012